(57)【要約】【課題】新品のランプユニットに交換することで、寿命に達していないランプユニットについてのランプの累積点灯時間がリセットされてしまうことを、予めユーザーに知らせることができるプロジェクター及びその制御方法を提供する。【解決手段】ランプユニット５を有するプロジェクター１であって、ランプの累積点灯時間及び点灯エラーの発生の有無を記憶するランプ情報記憶部３１と、ランプユニット５が交換されると、交換後のランプユニットが備えるヒューズが導通状態か否かを検出する第１のランプユニット制御部８と、交換後のランプユニットが備えるヒューズが導通状態であることが検出され、累積点灯時間がランプの寿命時間に達しておらず、かつ、点灯エラーが発生していない場合に、交換後のランプユニットの使用について確認メッセージを出力させる制御部２０と、を有する。【選択図】図１
2011158692.tif 000002
【特許請求の範囲】
【請求項１】
ランプと、ヒューズと、を備えたランプユニットを有するプロジェクターであって、
前記ランプの累積点灯時間を記憶する記憶部と、
前記ヒューズが導通状態か否かを検出し、前記ヒューズが非導通状態であるランプユニットを交換されたランプユニットと判別する検出部と、
前記交換後のランプユニットが備えるヒューズが導通状態であることが検出され、前記交換されたランプユニットのランプの累積点灯時間が前記ランプの寿命時間に達していない場合に、前記交換後のランプユニットの使用について確認メッセージを出力させる使用確認部と、を有することを特徴とするプロジェクター。
【請求項２】
請求項１に記載のプロジェクターであって、
前記使用確認部は、前記確認メッセージの出力後、前記交換後のランプユニットの使用についての確認完了の入力を受け付けたことに応じて前記交換後のランプユニットが備えるヒューズを非導通化させることを特徴とするプロジェクター。
【請求項３】
請求項１又は２に記載のプロジェクターであって、
前記使用確認部は、前記交換されたランプユニットのランプの累積点灯時間が前記ランプの寿命時間に達している場合に、前記交換後のランプユニットが備えるヒューズを非導通化させることを特徴とするプロジェクター。
【請求項４】
請求項１〜３の何れか１項に記載のプロジェクターであって、
前記プロジェクターは複数のランプユニットを備え、前記記憶部はランプユニット毎に前記ランプの累積点灯時間を記憶しており、
前記使用確認部は、交換対象となっていない他のランプユニットについて前記ランプの累積点灯時間が寿命時間に達している場合は、前記他のランプユニットについて寿命到達メッセージを出力させることを特徴とするプロジェクター。
【請求項５】
ランプと、ヒューズと、を備えたランプユニットを有するプロジェクターであって、
前記ランプについての累積点灯時間及び点灯エラーの発生の有無を記憶する記憶部と、
前記ヒューズが導通状態か否かを検出し、前記ヒューズが非導通状態であるランプユニットを交換されたランプユニットと判別する検出部と、
前記交換後のランプユニットが備えるヒューズが導通状態であることが検出され、前記交換されたランプユニットのランプの累積点灯時間が前記ランプの寿命時間に達しておらず、かつ、前記点灯エラーが発生していない場合に、前記交換後のランプユニットの使用について確認メッセージを出力させる使用確認部と、を有することを特徴とするプロジェクター。
【請求項６】
請求項５に記載のプロジェクターであって、
前記プロジェクターは複数のランプユニットを備え、前記記憶部はランプユニット毎に前記ランプの累積点灯時間及び前記点灯エラーの発生の有無を記憶しており、
前記使用確認部は、交換対象となっていない他のランプユニットについて前記ランプの累積点灯時間が寿命時間に達している場合は前記他のランプユニットについて寿命到達メッセージを出力させ、前記他のランプユニットについて前記点灯エラーが発生している場合は前記他のランプユニットについてエラー発生メッセージを出力させることを特徴とするプロジェクター。
【請求項７】
ランプとヒューズとを備えたランプユニットと、前記ランプについての累積点灯時間を記憶する記憶部と、を有するプロジェクターの制御方法であって、
前記ヒューズが導通状態か否かを検出し、前記ヒューズが非導通状態であるランプユニットを交換されたランプユニットと判別するステップと、
前記交換後のランプユニットが備えるヒューズが導通状態であることが検出され、前記交換されたランプユニットのランプの累積点灯時間が前記ランプの寿命時間に達していない場合に、前記交換後のランプユニットの使用について確認メッセージを出力するステップと、を含むことを特徴とするプロジェクターの制御方法。
【発明の詳細な説明】
【技術分野】
【０００１】
本発明は、プロジェクター及びその制御方法に関する。
【背景技術】
【０００２】
ランプの累積点灯時間をカウントし、予め定めた累積点灯時間を経過すると、警告などを表示してランプユニットの交換を促すプロジェクターが知られている。累積点灯時間をカウントするカウンターを設ける場合、ランプユニットを交換した際に、カウンターの初期値をリセットすることが必要である。ところが、中古品のランプユニットに交換した場合に初期値をリセットしてしまうと、正しい累積点灯時間をカウントすることができない。
【０００３】
特許文献１には、ランプユニットが装着されたときに、そのランプユニットが新品であるか中古品であるかを判断し、新品である場合に初期値をリセットする技術が開示されている。すなわち、特許文献１には、メタルハライドランプが使用されると溶断するヒューズを設置し、ランプユニット制御装置において、メタルハライドランプの最初の点灯開始時にヒューズの状態を確認し、ヒューズが溶断していない場合にはランプ点灯時間カウンターの初期値を０に設定し、ヒューズが溶断している場合にはランプ点灯時間カウンターをリセットせず、ランプ点灯累積時間カウンターのカウント値が１０００時間に達した後は、メタルハライドランプに供給する電流を減少してメタルハライドランプの明るさを減少させる発明が記載されている。
【０００４】
また、特許文献２には、複数のランプを用いて画像を投写するプロジェクターが記載されている。
【先行技術文献】
【特許文献】
【０００５】
【特許文献１】特開平１０−１７７８９８号公報
【特許文献２】特開２００９−６９５９８号公報
【発明の概要】
【発明が解決しようとする課題】
【０００６】
上述したように、特許文献１に記載の発明によれば、交換前のランプユニットが未だ寿命に達していない状態で新たなランプユニットに交換されると、交換後のランプユニットのヒューズが溶断されていなければ（導通状態であれば）、新品であると判定し、ランプ点灯累積時間カウンターをリセットしてしまう。
【０００７】
しかしながら、寿命に達していないランプユニットを元に戻そうと改めて装着させると、すでにランプ点灯累積時間カウンターはリセットされてしまっているため、累積点灯時間は失われてしまう。
【０００８】
特に、特許文献２に記載のプロジェクターのように、複数のランプユニットを備えた構成の場合、ユーザーが交換すべきランプユニットを誤って、寿命に達していないランプユニットの方を新品のランプユニットへ交換してしまうケースが発生することがある。
【０００９】
本発明は、上記課題を解決するためになされたものであって、新品のランプユニットに交換することで、寿命に達していないランプユニットについてのランプの累積点灯時間がリセットされてしまうことを、予めユーザーに知らせることができるプロジェクター及びその制御方法を提供することを目的とする。
【課題を解決するための手段】
【００１０】
上記課題を解決することのできる本発明は、ランプと、ヒューズと、を備えたランプユニットを有するプロジェクターであって、前記ランプの累積点灯時間を記憶する記憶部と、前記ヒューズが導通状態か否かを検出し、前記ヒューズが非導通状態であるランプユニットを交換されたランプユニットと判別する検出部と、前記交換後のランプユニットが備えるヒューズが導通状態であることが検出され、前記交換されたランプユニットのランプの累積点灯時間が前記ランプの寿命時間に達していない場合に、前記交換後のランプユニットの使用について確認メッセージを出力させる使用確認部と、を有することを特徴とする。
交換後のランプユニットが備えるヒューズが導通状態であるとは、非導通化されていない新品のランプユニットへ交換されたことがわかる。上記構成によれば、新品のランプユニットに交換されても、交換されたランプユニットの累積点灯時間が寿命時間に達していなければ、新品のランプユニットの使用について確認メッセージが出力される。このため、ユーザーは、誤って新品のランプユニットに交換してしまったのかを確認することができる。例えば、確認メッセージに、交換されたランプユニットについてのランプの累積点灯時間をリセットする旨のメッセージを含めれば、新品のランプユニットに交換したことで、寿命に達していないランプの累積点灯時間がリセットされてしまうことを、ユーザーに知らせることができる。
【００１１】
また、本発明のプロジェクターにおいて、前記使用確認部は、前記確認メッセージの出力後、前記交換後のランプユニットの使用についての確認完了の入力を受け付けたことに応じて前記交換後のランプユニットが備えるヒューズを非導通化させることが好ましい。
確認メッセージによって、誤って新品のランプユニットに交換してしまったことを認識したユーザーは、新品のランプユニットを取り外して元のランプユニットに戻すことが可能である。上記構成によれば、確認メッセージの出力後、確認完了の入力を受け付けると、交換後のヒューズを非導通化するので、新品のランプユニットのヒューズを非導通化せずに導通状態のまま取り外すことができる。
【００１２】
また、本発明のプロジェクターにおいて、前記使用確認部は、前記交換されたランプユニットのランプの累積点灯時間が前記ランプの寿命時間に達している場合に、前記交換後のランプユニットが備えるヒューズを非導通化させることが好ましい。
累積点灯時間が寿命時間に達している場合は、新品のランプユニットに交換する必要がある。上記構成によれば、このような場合には交換後のランプユニットのヒューズを非導通化するので、正しく交換されたランプユニットを正確に検出して、使用開始状態にすることができる。
【００１３】
また、本発明のプロジェクターにおいて、前記プロジェクターは複数のランプユニットを備え、前記記憶部はランプユニット毎に前記ランプの累積点灯時間を記憶しており、
前記使用確認部は、交換対象となっていない他のランプユニットについて前記ランプの累積点灯時間が寿命時間に達している場合は、前記他のランプユニットについて寿命到達メッセージを出力させることが好ましい。
上記構成によれば、寿命到達メッセージを出力することによって、他のランプユニットについてランプの累積点灯時間が寿命時間に達していることをユーザーに知らせることができる。したがって、本来、交換されるべきランプユニットは、既に寿命時間に達している他のランプユニットであったのではないかをユーザーに気付かせることができる。
【００１４】
また、上記課題を解決することのできる本発明は、ランプと、ヒューズと、を備えたランプユニットを有するプロジェクターであって、前記ランプについての累積点灯時間及び点灯エラーの発生の有無を記憶する記憶部と、前記ヒューズが導通状態か否かを検出し、前記ヒューズが非導通状態であるランプユニットを交換されたランプユニットと判別する検出部と、前記交換後のランプユニットが備えるヒューズが導通状態であることが検出され、前記交換されたランプユニットのランプの累積点灯時間が前記ランプの寿命時間に達しておらず、かつ、前記点灯エラーが発生していない場合に、前記交換後のランプユニットの使用について確認メッセージを出力させる使用確認部と、を有することを特徴とする。
上記構成によれば、新品のランプユニットに交換されても、交換されたランプユニットについてのランプの累積点灯時間が寿命時間に達しておらず、かつ、点灯エラーが発生していなければ、新品のランプユニットの使用について確認メッセージが出力される。このため、ユーザーは、誤って新品のランプユニットに交換してしまったのかを確認することができる。例えば、確認メッセージに、交換されたランプユニットについてのランプの累積点灯時間をリセットする旨のメッセージを含めれば、新品のランプユニットに交換したことで、寿命時間に達しておらず、かつ、点灯エラーが発生していないランプユニットの累積点灯時間がリセットされてしまうことを、ユーザーに知らせることができる。
【００１５】
また、本発明のプロジェクターにおいて、前記使用確認部は、前記確認メッセージの出力後、前記交換後のランプユニットについての確認完了の入力を受け付けたことに応じて前記交換後のランプユニットが備えるヒューズを非導通化させることが好ましい。
【００１６】
また、本発明のプロジェクターにおいて、前記使用確認部は、前記交換されたランプユニットのランプの累積点灯時間が前記ランプの寿命時間に達しているか、または、前記交換されたランプユニットについて前記点灯エラーが発生している場合に、前記交換後のランプユニットが備えるヒューズを非導通化させることが好ましい。
累積点灯時間が寿命時間に達している場合、または、ランプユニットについて点灯エラーが発生している場合は、新品のランプユニットに交換する必要がある。上記構成によれば、このような場合には交換後のランプユニットのヒューズを非導通化するので、正しく交換されたランプユニットを正確に検出して、使用開始状態にすることができる。
【００１７】
また、本発明のプロジェクターにおいて、前記プロジェクターは複数のランプユニットを備え、前記記憶部はランプユニット毎に前記ランプの累積点灯時間及び前記点灯エラーの発生の有無を記憶しており、前記使用確認部は、交換対象となっていない他のランプユニットについて前記ランプの累積点灯時間が寿命時間に達している場合は前記他のランプユニットについて寿命到達メッセージを出力させ、前記他のランプユニットについて前記点灯エラーが発生している場合は前記他のランプユニットについてエラー発生メッセージを出力させることが好ましい。
上記構成によれば、寿命到達メッセージを出力することによって、他のランプユニットについてのランプの累積点灯時間が寿命時間に達していることをユーザーに知らせることができる。これにより、本来、交換されるべきランプユニットは、既に寿命時間に達している他のランプユニットであったのではないかをユーザーに気付かせることができる。また、エラー発生メッセージを出力することによって、他のランプユニットについて点灯エラーが発生していたことをユーザーに知らせることができる。これにより、本来、交換されるべきランプユニットは、点灯エラーが発生していた他のランプユニットであったのではないかをユーザーに気付かせることができる。
【００１８】
また、上記課題を解決することのできる本発明のプロジェクターの制御方法は、ランプとヒューズとを備えたランプユニットと、前記ランプについての累積点灯時間を記憶する記憶部と、を有するプロジェクターの制御方法であって、前記ヒューズが導通状態か否かを検出し、前記ヒューズが非導通状態であるランプユニットを交換されたランプユニットと判別するステップと、前記交換後のランプユニットが備えるヒューズが導通状態であることが検出され、前記交換されたランプユニットのランプの累積点灯時間が前記ランプの寿命時間に達していない場合に、前記交換後のランプユニットの使用について確認メッセージを出力するステップと、を含むことを特徴とする。
【図面の簡単な説明】
【００１９】
【図１】本実施形態のプロジェクターの内部構成を示すブロック図である。
【図２】本実施形態のプロジェクターのランプ情報記憶部が記憶するランプ情報の一例を示した図である。
【図３】本実施形態のプロジェクターによる確認メッセージを出力する処理を説明するためのフローチャートである。
【図４】警告メッセージの一例である。
【図５】寿命到達メッセージの一例である。
【図６】確認メッセージの一例である。
【発明を実施するための形態】
【００２０】
以下、本発明に係るプロジェクター及びその制御方法の好適な実施形態について、図面を参照して詳細に説明する。
【００２１】
（プロジェクターの内部構成について）
本実施形態のプロジェクターの内部構成について図１を参照して説明する。
図１に示すように、プロジェクター１は、第１のランプユニット５と、第２のランプユニット６と、集光部７と、第１のランプユニット制御部８と、第２のランプユニット制御部９と、液晶ライトバルブ１２Ｒ，Ｇ，Ｂと、投写光学系１３と、液晶ライトバルブ駆動部１４と、制御部２０と、入力端子３０と、ランプ情報記憶部３１と、映像音声処理部３２と、フレームメモリー３３と、映像処理部３４と、音声処理部３５と、スピーカー３６と、ＯＳＤ（On Screen Display）処理部３８と、操作信号処理部４３と、操作パネル４４と、を備えている。
【００２２】
第１のランプユニット５は、第１のランプと第１のランプの初回点灯時に溶断（非導通化）される第１のヒューズ５ａとを備え、第１のランプと第１のヒューズ５ａはランプハウジングに固定されて収納されている。また、第２のランプユニット６は、第２のランプと第２のランプの初回点灯時に溶断される第２のヒューズ６ａとを備え、第２のランプと第２のヒューズ６ａは、ランプハウジングに固定されて収納されている。第１のランプユニット５及び第２のランプユニット６は、それぞれ単体でプロジェクター１から分離可能である。各ランプには寿命があるため、消耗した場合はランプユニットごと新しいものと交換することができる。
【００２３】
第１のランプユニット制御部８（検出部）は、制御部２０からの指示に従って、第１のランプを点灯又は消灯させる点灯手段である。例えば第１のランプが高圧放電灯の場合には、始動電圧を印加する点灯回路や、適正なランプ電流を供給する安定器などにより構成される。また、第１のランプユニット制御部８は、第１のランプの点灯時間をカウントする点灯時間カウンターを有している。また、第１のランプユニット制御部８は、第１のランプの初回点灯時に第１のヒューズ５ａが導通状態（通電可能）か否かを確認する、通電確認回路を備えている。通電可能である場合は、第１のヒューズ５ａが溶断されていない、すなわち新品のランプが装着されたことを確認することができる。さらに、第１のランプユニット制御部８は、第１のヒューズ５ａを溶断するためのヒューズ溶断回路を備えている。本実施形態の第１のヒューズ５ａは電流制限ヒューズであり、制御部２０からの指示に応じてヒューズ溶断回路が通電すると第１のヒューズ５ａを溶断する。さらに、第１のランプユニット制御部８は、第１のランプについて不点灯などの点灯エラーを検出し、制御部２０へ通知する。
【００２４】
同様に、第２のランプユニット制御部９（検出部）は、制御部２０からの指示に従って、第２のランプを点灯又は消灯させる点灯手段である。第２のランプが高圧放電灯の場合には、始動電圧を印加する点灯回路や、適正なランプ電流を供給する安定器などにより構成される。また、第２のランプユニット制御部９は、第２のランプの点灯時間をカウントする点灯時間カウンターを有している。また、第２のランプユニット制御部９は、第２のランプの初回点灯時に第２のヒューズ６ａが通電可能か否かを確認する、通電確認回路を備えている。通電可能である場合は、第２のヒューズ６ａが溶断されていない、すなわち新品のランプが装着されたことを確認することができる。さらに、第２のランプユニット制御部９は、第２のヒューズ６ａを溶断するためのヒューズ溶断回路を備えている。本実施形態の第２のヒューズ６ａは電流制限ヒューズであり、制御部２０からの指示に応じてヒューズ溶断回路が通電すると第２のヒューズ６ａを溶断する。さらに、第２のランプユニット制御部９は、第２のランプについて不点灯などの点灯エラーを検出し、制御部２０へ通知する。
【００２５】
制御部２０は、第１のランプユニット制御部８、第２のランプユニット制御部９、ランプ情報記憶部３１、映像信号処理部３２、ＯＳＤ処理部３８、操作信号処理部４３と接続されている。この制御部２０は、マイクロプロセッサーと、書き換え可能な不揮発性の記憶部と、マイクロプロセッサーが直接アクセスすることができる主記憶部と、を備えている。不揮発性の記憶部には、プロジェクター１の各種動作を制御するための制御プログラム、設定メニューや各種メッセージのＯＳＤ映像、台形歪補正量の表示などのＯＳＤ映像を生成するためのＯＳＤ情報を記憶するとともに、プロジェクター１の各種設定値等が記憶されている。
【００２６】
マイクロプロセッサーは、不揮発性の記憶部に記憶された制御プログラム等を実行して、プロジェクター１の動作を統括制御し、制御部２０に接続された各部から入力される各種データを演算するとともに、演算結果を各部に出力する。
【００２７】
ランプ情報記憶部３１は、各ランプユニット５,６が備える第１のランプ及び第２のランプについて、累積点灯時間及び点灯エラーの発生の有無を記憶する。本発明における使用確認部である制御部２０は、第１のランプユニット制御部８の点灯時間カウンターがカウントした第１のランプの点灯時間を累積し、第１のランプユニットの累積点灯時間としてランプ情報記憶部３１に記憶する。また、制御部２０は、第２のランプユニット制御部９の点灯時間カウンターがカウントした第２のランプの点灯時間を累積し、第２のランプユニットの累積点灯時間としてランプ情報記憶部３１に記憶する。さらに制御部２０は、各ランプユニット制御部８,９から受信する点灯エラー通知にしたがって、各ランプユニット５,６について点灯エラーの発生の有無をランプ情報記憶部３１に記憶する。
【００２８】
例えば図２に示すように、本実施形態のランプ情報記憶部３１には、第１のランプユニット５についての累積点灯時間が２１００時間、点灯エラーはなしと記憶され、また、第２のランプユニット６についての累積点灯時間が１２００時間、点灯エラーはなしと記憶されている。
【００２９】
映像音声処理部３２は、入力端子３０から受信した映像信号をデコードして圧縮符号化前の映像データに変換し、これらをたとえばＲＧＢ信号に変換して順次映像処理部３４に出力する。また、音声入力端子から入力される音声信号についても同様にデコードを行い、Ｄ／Ａ変換により音声データに変換し、順次音声処理部３５に出力する。映像音声処理部３２にはフレームメモリー３３が接続されており、映像データを１フレーム毎にフレームメモリー３３に記憶させるとともに、フレームメモリー３３に記憶された映像データを読み出す。
【００３０】
映像処理部３４は、映像音声処理部３２より受信したＲＧＢ信号に対してγ補正処理、台形補正処理、解像度変換処理などを行い、液晶ライトバルブ駆動部１４に出力する。
【００３１】
音声処理部３５は、映像音声処理部３２より受信した音声データをスピーカー３６に出力する。なお、音声処理部３５は、音量増幅部を有しており、音量の増幅を行ってスピーカー３６に出力する。これにより、スピーカー３６は、増幅されて入力するアナログ音声信号を出力する。
【００３２】
ＯＳＤ処理部３８は、メニュー映像やメッセージ映像等のＯＳＤ情報を制御部２０から受信して、ＯＳＤ映像を生成する。また、生成したＯＳＤ映像と映像処理部３４から受信した映像データを合成し、液晶ライトバルブ駆動部１４へ送信する。
【００３３】
操作信号処理部４３は、操作パネル４４又はリモートコントローラー（リモコン）ＲＣから入力された操作信号を受信し、これを制御部２０に出力する。
【００３４】
投写光学系１３は投写レンズ１３ａを有している。プロジェクター１は、入力端子３０から供給される映像信号に応じた光学像を投写し、投写レンズ１３ａを介して、スクリーン、白壁又はホワイトボード等の被投写体（以下、本実施形態では「スクリーンＳＣ」という。）に拡大して投写する。
【００３５】
液晶ライトバルブ駆動部１４は、入力されたＲＧＢ信号に応じて、液晶ライトバルブ１２Ｒ，Ｇ，Ｂを駆動する。各液晶ライトバルブ１２Ｒ，Ｇ，Ｂは、マトリクス状の複数の画素を備えている。液晶ライトバルブ駆動部１４により各画素の透過率が調整されることにより、集光部７から射出され、色光分離光学系によって各色光に分離された、Ｒ（赤）、Ｇ（緑），Ｂ（青）の各色光を対応する液晶ライトバルブ１２Ｒ，Ｇ，Ｂによって変調して光学像を射出する。液晶ライトバルブ１２Ｒ，Ｇ，Ｂから射出される光学像は、クロスダイクロイックプリズムなどの合成光学系により合成され、投写光学系１３の投写レンズ５によってスクリーンＳＣ上に拡大投写される。
【００３６】
＜確認メッセージを出力する処理について＞
次に、本実施形態のプロジェクターによる確認メッセージを出力する処理について図３〜図６を参照して説明する。
以下では、ユーザーが使用済みの第１のランプユニット５を新品のランプユニットに交換した際に、プロジェクター１が実行する処理について説明する。
【００３７】
まず、ユーザーが使用済みの第１のランプユニット５を取り外して、新品のランプユニットに交換する。このとき、取り外した第１のランプユニット５のヒューズ５ａは、すでに溶断されており、交換後の新品のランプユニットのヒューズは溶断されていない状態である。
【００３８】
ユーザーはランプユニットの交換後、プロジェクター１を起動する。プロジェクター１は、搭載されている全てのランプユニットのヒューズについて溶断状態をチェックする（ステップＳ１１）。第１のランプユニット制御部８は新品のランプユニットのヒューズが通電可能か否かを確認し、第２のランプユニット制御部９はヒューズ６ａが通電可能か否かを確認する。ヒューズが溶断されていない未溶断の新品ランプユニットを検出すると（ステップＳ１３：Ｙｅｓ）、使用確認部である制御部２０へ通知する。一方、全てのランプユニットのヒューズが非導通状態（通電不可能）である場合は、全てのヒューズが溶断されていると判定し（ステップＳ１３：Ｎｏ）、投写処理を開始する。ヒューズが溶断されている場合は、新品のランプユニットとして装着したはずのランプユニットが新品ではなく、過去に使用したことがあるランプユニットである。このため、ランプ情報記憶部３１に記憶されている累積点灯時間及び点灯時間カウンターの値をリセットすることなく、点灯時間カウンターによる点灯時間のカウントを継続する。
【００３９】
制御部２０は、ステップＳ１３において検出された全ての未溶断のランプユニットについて、順に以下の処理を実行する。
例えば、制御部２０は、第１のランプユニット制御部８からの通知を受けた場合は、ランプ情報記憶部３１に記憶されている使用済みの第１のランプユニット５についての累積点灯時間及び点灯エラーの有無を取得し（ステップＳ１５）、累積点灯時間が寿命時間に到達しているか、または、点灯エラーが発生しているか否かを判定する（ステップＳ１７）。累積点灯時間が寿命時間に到達しているか、または、点灯エラーが発生している場合は（ステップＳ１７：Ｙｅｓ）、制御部２０は取り外した使用済みの第１のランプユニット５についての累積点灯時間と点灯エラーの有無をリセットし（ランプ情報記憶部３１から削除する）、新たに装着された新品のランプユニットのヒューズを溶断するよう第１のランプユニット制御部８へ指示する。第１のランプユニット制御部８は、新品のランプユニットのヒューズを溶断し、第１のランプについての点灯時間カウンターをリセットする（ステップＳ２９）。
【００４０】
他に未溶断の新品ランプユニットがある場合は（ステップＳ３３：Ｙｅｓ）、ステップＳ１５へ戻る。他に未溶断の新品ランプユニットがない場合は（ステップＳ３３：Ｎｏ）、投写処理を開始する。
【００４１】
ステップＳ１７において、累積点灯時間が寿命時間に到達しておらず、かつ、点灯エラーが発生していない場合は（ステップＳ１７：Ｎｏ）、制御部２０は、ＯＳＤ処理部３８へ警告メッセージを生成するよう指示し、投写光学系１３が警告メッセージをスクリーンＳＣに投写する（ステップＳ１９）。ここでは、第１のランプユニット５についての累積点灯時間は１２００時間、点灯エラーはなしとなっているため、図４に示す警告メッセージ「交換前のランプは寿命に達しておらず、点灯エラーも発生していません。」を投写する。このように警告メッセージを投写することによって、第１のランプユニット５及び第２のランプユニット６のうち交換する必要のない第１のランプユニット５の方を交換してしまった可能性があることをユーザーに知らせることができる。
【００４２】
次に、制御部２０は、第１のランプユニット５の他に、寿命時間に到達しているか、または、点灯エラーが発生したランプユニットがあるか否かを判定する（ステップＳ２１）。ここで、本実施形態の各ランプユニットに搭載されているランプの寿命時間を２０００時間とする。図２に示すように、第１のランプユニット５の他に、第２のランプユニット６についての累積点灯時間は２１００時間、点灯エラーはなしとなっている。すなわち、第２のランプユニット６についての累積点灯時間が寿命時間に到達しているため（ステップＳ２１：Ｙｅｓ）、制御部２０は、ＯＳＤ処理部３８へ寿命到達メッセージを生成するよう指示し、投写光学系１３が図５に示す寿命到達メッセージ「第２のランプは寿命時間を越えています」をスクリーンＳＣに投写する（ステップＳ２３）。
【００４３】
なお、第２のランプユニット６についての累積点灯時間が寿命時間に到達していないが、点灯エラーが発生していた場合は、例えばエラー発生メッセージ「第２のランプは点灯エラーが発生しています。」をスクリーンＳＣに投写する。エラー発生メッセージを出力することによって、第２のランプユニット６について点灯エラーが発生していたことをユーザーに知らせることができる。したがって、本来、交換されるべきランプユニットは、点灯エラーが発生していた第２のランプユニット６であったのではないかをユーザーに気付かせることができる。
【００４４】
一方、制御部２０は、第２のランプユニット６についての累積点灯時間が、寿命時間に到達しておらず、かつ、点灯エラーが発生していないと判定した場合は（ステップＳ２１：Ｎｏ）、寿命確認メッセージを投写させることなくステップＳ２５を実行する。
【００４５】
次に、制御部２０は、ＯＳＤ処理部３８へ確認メッセージを生成するよう指示し、投写光学系１３が図６に示す確認メッセージ「交換したランプは正しいですか？」をスクリーンＳＣに投写する（ステップＳ２５）。なお、確認メッセージとともに、ユーザーによる確認入力を受け付けるための選択肢「はい」あるいは「いいえ」を投写する。
【００４６】
操作信号処理部４３を介して、ユーザーから交換確認入力を受け付けると、「はい」を選択する入力であれば（ステップＳ２７：Ｙｅｓ）、制御部２０は第１のランプユニット制御部８に対してヒューズを溶断するよう指示し、ランプ情報記憶部３１に記憶されている第１のランプユニット５についての累積点灯時間及び点灯エラーの有無をリセットする。第１のランプユニット制御部８は、制御部２０からの指示に応じて、新たに装着された新品のランプユニットのヒューズを溶断するとともに、点灯時間カウンターの値をリセットする（ステップＳ２９）。
【００４７】
他に未溶断の新品ランプユニットがある場合は（ステップＳ３３：Ｙｅｓ）、ステップＳ１５へ戻る。他に未溶断の新品ランプユニットがない場合は（ステップＳ３３：Ｎｏ）、投写処理を開始する。
【００４８】
一方、操作信号処理部４３を介して、「いいえ」を選択する入力を受け付けると（ステップＳ２７：Ｎｏ）、制御部２０は第１のランプユニット制御部８及び第２のランプユニット制御部９に対して各ランプを消灯するよう指示し、第１のランプユニット制御部８及び第２のランプユニット制御部９が各ランプを消灯する。
【００４９】
このように、上記実施形態によれば、新品のランプユニットに交換されても、交換前の第１のランプユニット５についての累積点灯時間が寿命時間に達しておらず、かつ、点灯エラーが発生していなければ、新品のランプユニットの使用について確認メッセージが出力される（ステップＳ２５：図６参照）。図６に示すように、確認メッセージに、交換前の第１のランプユニット５（第１のランプ）の累積点灯時間をリセットする旨のメッセージを含めれば、誤って新品のランプユニットに交換されたことで、寿命時間に達しておらず、かつ、点灯エラーが発生していない第１のランプユニット５についての累積点灯時間がリセットされてしまうことを、ユーザーに知らせることができる。
【００５０】
また、図６の確認メッセージによって、誤って新品のランプユニットに交換してしまったことを認識したユーザーは、新品のランプユニットを取り外して元の第１のランプユニット５に戻すことが可能である。上記構成によれば、図６の確認メッセージの出力後に交換後のヒューズを溶断するので（ステップＳ２５、ステップＳ２７：Ｙｅｓ）、新品のランプユニットのヒューズを溶断せずに有効な状態（導通状態）のまま取り外すことができる。
【００５１】
また、第１のランプユニット５についての累積点灯時間が寿命時間に達している場合、または、第１のランプユニット５について点灯エラーが発生している場合（ステップＳ１７：Ｙｅｓ）は、新品のランプユニットに交換する必要がある。このような場合には交換後の新品のランプユニットのヒューズを溶断するので（ステップＳ２９）、後に、交換後のランプユニットが新品か否かを判定することができる。このため、累積点灯時間のリセットを正しい時期に行なうことができ、正確な累積点灯時間をカウントすることが可能となる。
【００５２】
また、図５の寿命到達メッセージを出力することによって、第２のランプユニット６についての累積点灯時間が寿命時間に達していることをユーザーに知らせることができる。これにより、本来、交換されるべきランプユニットは、既に寿命時間に達している第２のランプユニットであったのではないかをユーザーに気付かせることができる。
【００５３】
なお、本実施形態では、２つのランプユニットを搭載したプロジェクターについて説明したが、３つ以上のランプユニットを備えたプロジェクターに本発明を適用することもできる。また、ランプユニットを１つだけ搭載したプロジェクターにも本発明を適用することができる。この場合は、図３のステップＳ１９,ステップＳ２１及びステップＳ２３を除き、ステップＳ１１,ステップＳ１３,ステップＳ１５,ステップＳ１７,ステップＳ２５,ステップＳ２７及びステップＳ２９のみを実行すればよい。
【００５４】
また、本実施形態では、ヒューズを溶断し累積点灯時間をリセットするかの判定を、累積点灯時間と点灯エラーの２つの要因に基づいて行なったが、累積点灯時間のみに基づいて判定してもよい。
【００５５】
また、本実施形態では、各メッセージをスクリーンＳＣに投写する構成としたが、プロジェクター１本体に設けた操作パネル４４の操作画面等に表示するよう構成してもよい。操作画面に表示させる場合は、ランプを点灯させることなく図３の処理を実行することができる。そして、ランプを点灯しない構成とすれば、本実施形態の第１のヒューズ５ａ及び第２のヒューズ６ａに、所定の温度、例えば５０度を超えると溶断する温度ヒューズを採用してもよい。通常、ランプを点灯すると、各ランプユニット５,６内の温度は高温になるため、各ランプが１度でも点灯されると各ヒューズは溶断される。このため、各ランプは、ステップＳ２９において初めて点灯すればよい。
【００５６】
また、本実施形態では、警告メッセージ、寿命到達メッセージ及び確認メッセージを、全てスクリーンＳＣに投写したが、必ずしも投写しなくてもよい。例えば、同様の音声メッセージをスピーカー３６から出力してもよい。音声メッセージを出力すれば、ランプが切れていて投写できない場合も、ユーザーにメッセージを伝えることができる。
【００５７】
なお、上記実施形態では、光源からの光を光変調部である液晶ライトバルブ１２Ｒ，Ｇ，Ｂによって変調し投写する液晶ライトバルブ方式のプロジェクターを例示したが、本発明はその他の方式を採用するプロジェクターにも適用することもできる。具体的には、ＤＭＤ（Digital Micro mirror Device）を用いた投写方式、所謂、ＤＬＰ（Digital Light Processing）（登録商標）方式である。すなわち、ＤＬＰ方式は白色に光るランプの光をレンズで集光してＤＭＤに当て、ＤＭＤの個々のミラーがオン状態に傾いているときの光を他のレンズで拡大し、スクリーンに投影する方式であり、本発明はこのような方式のプロジェクターにも適用することができる。
【符号の説明】
【００５８】
１：プロジェクター、５：第１のランプユニット、６：第２のランプユニット、７：集光部、８：第１のランプユニット制御部、９：第２のランプユニット制御部、１２Ｒ，Ｇ，Ｂ：液晶ライトバルブ、１３：投写光学系、１４：液晶ライトバルブ駆動部、２０：制御部、３０：入力端子、３１：ランプ情報記憶部、３２：映像音声処理部、３３：フレームメモリー、３４：映像処理部、４３：操作信号処理部、４４：操作パネル、ＲＣ：リモコン、ＳＣ：スクリーン。
【図１】
2011158692.tif 000003
【図２】
2011158692.tif 000004
【図３】
2011158692.tif 000005
【図４】
2011158692.tif 000006
【図５】
2011158692.tif 000007
【図６】
2011158692.tif 000008